(57)【特許請求の範囲】
【請求項１】
操作部を配置したケースのフランジ部を前面に露出してパネルの装着孔に装着されて、前記ケースの内部に設けられたプリント基板に電子部品を実装した電子機器において、
前記フランジ部を覆うフロントカバーを設け、
該フロントカバーは、パネルとの接触部に、内側に一体形成されて張り出した背面カバーと、外側に一体形成されて張り出した封鎖片とを備え、
前記フランジ部を前面に露出して前記パネルの装着孔に装着された状態においては、
前記背面カバーは、前記フランジ部と前記パネルとによって圧縮され、前記フランジ部と前記パネルとの間に形成される隙間を埋め、
前記封鎖片は、前記フランジ部の周辺部を封鎖することを特徴とする電子機器。
【請求項２】
前記ケースを着脱可能なフロントケースとリアケースで構成したことを特徴とする請求項１に記載の電子機器。
【請求項３】
前記リアケースの奥行きを、実装容積の異なる機種に対応する大きさに設定したことを特徴とする請求項２記載の電子機器。
【発明の詳細な説明】
【０００１】
【発明の属する技術分野】
本発明は電子機器に係り、さらに詳しくは電子カウンタのように表示器や操作キー等を配置したフランジ部をパネルの前面に露出して取り付けられる電子機器に関するものである。
【０００２】
【従来の技術】
図６は従来の電子機器の構成を示す断面図である。
図６において、１はパネル、２は電子機器、３はフランジ部である。１０はパネル１に設けられた装着孔、２０は電子機器の本体、２１はケースである。２２はケース２１のフランジ部３に設けられた操作部、２３はパッキン、ｇは隙間である。また、２４は表示窓、２５は表示器、２６は押し釦スイッチ、２７は中継器である。そして、電子機器の本体２０の部分をケース２１内に組み込んだ電子機器２を装着孔１０に差し込んで、電子機器２がフランジ部３を前面に露出してパネル１に装着される。
【０００３】
装着された電子機器２の前面の表示器２５の表示を見ながら中継器２７を介して押し釦スイッチ２６を操作して、本体２０内の電子回路により出力信号が送出される。上記のように操作部２２とケース２１との間の隙間ｇには、パッキン２３が配置されている。したがって、このパッキン２３が隙間ｇを密封してパネル１の前面からの水滴等の侵入が防止されて、本体２０内に実装された電子回路部等が防滴構造に構成される。
【０００４】
【発明が解決しようとする課題】
従来の電子機器２は上述のように、パッキン２３で操作部２２の外周とケース２１との隙間ｇを密封し、本体２０内の電子回路部をパネル１の前面側から隔離して防滴構造に構成することができる。しかしながら、このようにパッキン２３で操作部２２とケース２１との隙間ｇを封鎖する防滴構造では、隙間ｇの大きさをパッキン２３の厚さに対して一定の値に確保することが必要になる。そのためには、パッキン２３の厚さを均一に保持することは勿論のこと、ケース２１と操作部２２の加工精度を向上させることも必要になる。隙間ｇの加工誤差がプラス側に片寄りパッキン２３側がマイナス方向に発生すると、パッキン２３が隙間ｇ内で遊動することになる。しかも、ケース２１とパッキン２３は一般に異なる材質で熱膨張係数が相異するので、温度変化により隙間ｇが一層増大して実質的に防滴機能を果たすことが不可能になる。
【０００５】
一方、従来の電子機器２の操作部２２は図示のように、表示器２５が前面に突出して押し釦スイッチ２６の表面との間に段差が形成されている。したがって、押し釦スイッチ２６を操作するための中継器２７が必要で、それだけ構造が複雑になる。また、操作部２２の横幅が厚くなり、装置の小型化の実施に支障がある等の問題点もあった。
【０００６】
本発明は、このような従来の電子機器の問題点を解消するためになされたもので、従来装置のように操作部とケースとの間の隙間を封鎖するためのパッキンを不要とした完全な防塵・防滴構造に構成し、作業性を向上すると共にコストダウンを図り、一部の部品を異なる機種にも兼用させて製作費を一層安価にした電子機器を実現することを目的とするものである。
【０００７】
【課題を解決するための手段】
本発明は、操作部を配置したケースのフランジ部を前面に露出してパネルの装着孔に装着されて、フランジ部を覆うフロントカバーを設け、フロントカバーは、パネルとの接触部に、内側に一体形成されて張り出した背面カバーと、外側に一体形成されて張り出した封鎖片とを備え、フランジ部を前面に露出してパネルの装着孔に装着された状態においては、背面カバーは、フランジ部とパネルとによって圧縮され、フランジ部とパネルとの間に形成される隙間を埋め、封鎖片は、フランジ部の周辺部を封鎖する電子機器を構成したものである。また、ケースを着脱可能なフロントケースとリアケースで構成した電子機器を構成したものである。また、リアケースの奥行きを、実装容積の異なる機種に対応する大きさに設定した電子機器を構成したものである。
【０００８】
本発明の電子機器は、ケースのフランジ部に被せるフロントカバーが構成されている。フロントカバーには耐食性で適度に伸縮する材料が使われ、内面がフランジ部と同じ輪郭に成形されている。特に、本発明のフロントカバーの周辺部には、外方に張り出す封鎖片が設けられている。封鎖片を設けたフロントカバーは、組み立てられた電子機器のフランジ部に直接被せられる。そして、電子機器がパネルに装着されると、カバーの背面が装着面の隙間を埋めると共に封鎖片がその周辺部を封鎖する。このような本発明の二重の封鎖機能で、完全な防塵・防滴構造の電子機器が構成される。
【０００９】
また、本発明の電子機器のケースは、着脱自在なフロントケースとリアケースで構成されている。そして、フロントケースは全製品に共通で、リアケースは電子部品の実装容積の大小に応じた奥行きに作られている。よって、パネルの装着孔を統一的に加工することができ、機器をパネル上の任意な位置に移し替えすることができる。さらに、成型用の“型”の製作費を削減でき、製作費を安価にすることもできる。
【００１１】
【発明の実施の形態】
以下、本発明の実施形態を、図面を用いて説明する。
実施形態１．
図１は本発明の実施形態１の構成を示す分解斜視図、図２は実施形態１の組立状態の構成を示す説明図である。本発明の実施形態では、従来装置と同様な部材でも異なる数字符号が用いられている。
図１と図２において、１は鉄板等で作られたパネル、２は電子機器である。３は表面シート、４は粘着テープ、５は電子機器２のケースである。
【００１２】
ケース５は合成樹脂で成形され、フロントケース５ａとリアケース５ｂの２部分で構成されている。図３にフロントケース５ａの断面図が示されている。５０はケース５のフランジ部、５１はフランジ部５０の前面板、５２は前面板５１を貫通した大小の露出口である。露出口５２は長方形の１個の大孔と、正方形の５個の小孔で構成されている。５３および５４はケース５の両側面に穿設された貫通孔および係止溝、５５は鋸歯溝、５６は内側面の上，下の水平方向に設けられたレール溝である。前面板５１の凹みで構成された窓枠内には、粘着テープ４を介して表面シート３が添着される。鋸歯溝５５は上面と両側面に形成され、レール溝５６はリアケース５ｂ側にも延長されている。５７はリアケース５ｂの両側面に突出した係止爪で、フロントケース５ａの係止溝５４に対応する。
【００１３】
６と７はプリント基板より成る操作基板と制御基板、８と９も同じ部材で構成した端子基板と電源基板である。制御基板７と電源基板９は、組立状態で上，下のレール溝５６にガイドされる。１１はベース、１２は端子台である。６１は操作基板６の前面に取り付けられ４桁や６桁のカウント値を表示するＬＣＤのような表示器、６２は設定キーを構成する５個の押し釦スイッチ、６３はコネクタプラグで、これらにより操作部６０を構成する。表示器６１と押し釦スイッチ６２は上側と下側の露出口５２に対向していて、組み立て後にはそれぞれ前面板５１の前面に沿って同一平面上に露出する。７１は制御基板７に設けられ上記のコネクタプラグ６３に嵌合するコネクタソケット、７２はＣＰＵ（不図示）、７３は後端に形成された櫛歯状の接続部である。
【００１４】
電源基板９には図示のように抵抗器やコンデンサなどの電子部品が実装され、この電源基板９と端子基板８の後端部にも類似した櫛歯状の接続部８３と９３が形成されている。そして、制御基板７と端子基板８および電源基板９の各後端部がベース１１に一体に保持されて、それぞれの櫛歯状の接続部７３と８３および９３が端子台１２の内面側のコネクタに嵌合して電気的に接続される。制御基板７等に接続された端子台１２は、ネジ１３によりベース１１に機械的に固定される。このようにして電子部品を実装した操作基板６や制御基板７等により電子機器２の本体１０が構成されて、フロントケース５ａとリアケース５ｂからなる分割型のケース５の内部に収容される。
【００１５】
本体１０を収容したケース５は、端子台１２が設けられた背面側からパネル１の角形の装着孔に挿入される。そして、図２の２点鎖線で示された取付枠１４が背面から挿入されて、フロントケース５ａの胴部に取り付けられる。背面に取り付けられた取付枠１４を締め付けると、角枠型のフランジ部５０の後縁部がパネル１の表面に密着して電子機器２がパネル１に装着される。取付枠１４によるフランジ部５０の装着面への密着力は、上面と両側面に形成された鋸歯溝５５により調整される。実施形態１で示された電子カウンタのような電子機器２は、コンベアシステムを取り入れた生産現場等に設置される。そして、コンベアで搬送される製品の箱詰動作が、現場設置の電子カウンタ２で制御される。
【００１６】
パネル１に装着されたケース５のフランジ部５０の内部は、粘着テープ４で前面板５１の凹部状の窓枠内に粘着された表面シート３によって密封されている。したがって、操作基板６上の表示器６１や押し釦スイッチ６２は、上記の生産現場の雰囲気等に通じるパネル１の前面側から隔離される。よって、前述の従来装置で用いられた密封用のパッキンが不必要で、ケース５のフランジ部５０の付近の構成を簡単にすることができる。また、取付枠１４により軟質の樹脂で薄い角枠型のフランジ部５０の後縁部を鉄板のような金属パネル１の表面に密着させているので、この装着面も封鎖されてパネル１の背面側が前面側から隔絶される。さらに、表示器６１と押し釦スイッチ６２が同一平面上に形成されているので、表面シート３の表面から直接押し釦スイッチ６２を操作できる。同時に、フランジ部５０の横幅が薄くなり、電子機器２を小型化できる。
【００１７】
図４は実施形態１の変形例の構成を示す斜視図である。
図示のように、この変形例ではリアケース５ｂの奥行きＬ２が、図２のリアケース５ｂの奥行きＬ１と比較して小さく構成されている。その外の構成は前述の電子機器２と変わるところがない。そして、図４に示されたケース５は同一の原理を使った製品で、電子部品の実装容積の少ない異機種の電子機器２に適用される。図から明かのように、フロントケース５ａは全ての機種に共通的に適用される。よって、この変形例によれば、パネル１の装着孔を統一的に加工でき、例えば、関連する電子機器２を取扱が容易な任意の位置に移し替えて纏めることができる。また、樹脂成型用の“型”の製作費を削減できるばかりか、多量生産的で製作費を安価にできる利点もある。
【００１８】
実施形態２．
前述の実施形態１で説明したフランジ部５０とパネル１との接触面を一層緻密に密着させて封鎖する手段として、前記の表面シート３と粘着テープ４に代えて図５に示されたようなフロントカバー２０が準備されている。フロントカバー２０には耐食性を備えてゴムのように適度に伸縮するシリコンゴムが適し、内面がフランジ部５０の輪郭と相似形に成形される。フロントカバー２０の構造を示す図５には、図（ｃ）を基準にして（ａ），（ｂ）及び（ｄ）〜（ｆ）が三角画法で示されている。図（ｃ）のＸ−ＸとＹ−Ｙ方向の断面形状が、（ｆ）と（ｂ）に示されている。さらに、図（ｆ）の丸枠内を拡大した部分断面図が、（ｇ）に示されている。
【００１９】
２１はフロントカバー２０の表面カバー、２２は上，下と左，右を囲む側面カバーである。２３は表面カバー２１の左右の突出部で、上端から下端に亘って形成されている。また、２４は幅の狭い背面カバーで、側面カバー２２の開放端で内側に直角方向に折り曲げて形成されている。背面カバー２４の内法Ｘｉは、フロントケース５ａの胴部とほぼ等しく作られている。特に、本発明のフロントカバー２０には図（ｇ）に示されたように、側面カバー２２と背面カバー２４との折曲部に封鎖片２５が周辺部の外方に張り出して設けられている。封鎖片２５は側面カバー２２に対して幾分上方に傾いており、張出し角θ＝１００゜に設定されている。このため、折曲部付近の断面形状が、拡大図の（ｇ）に示すように変形的な“Ｙ字状”を形成している。
【００２０】
このようなフロントカバー２０は組み立てられた電子機器２の前面に直接被せられて、前述のような取付枠１４によりパネル１に装着される。取付枠１４を締め付けると、先ず傾斜して張り出した封鎖片２５の先端部がパネル１の表面に接触する。そして、取付枠１４によって電子機器２がパネル１に装着されると、圧縮された背面カバー２４が装着面の隙間を埋める。さらに、パネル１の表面を押圧する封鎖片２５が、その周辺部を封鎖して二重の封鎖機能が果たされることになる。このように二重の封鎖機能を備えたフロントカバー２０によれば、フロントケース５ａの前面の隙間は勿論パネル１とケース５との隙間もなくなり、完全な防塵・防滴構造が構成される。
【００２１】
なお、上述の実施形態では本発明を電子カウンタに適用した場合を例示して説明したが、別の電子機器類の場合にも本発明を適用することができる。また、操作部に設けられた表示器と押し釦スイッチを同一平面に構成したが、表示器やスイッチに限るものではなく、要するに少なくとも操作器等の操作部の構成部材であればよい。また、フロントケースとリアケースを両側面の係止溝と係止爪で着脱可能に構成したが、着脱構造の個数や位置或いは本体の組み付け構造等についても必ずしも実施形態に限定するものではない。
【００２２】
【発明の効果】
本発明は、操作部を配置したケースのフランジ部を前面に露出してパネルの装着孔に装着されて、ケースの内部に設けられたプリント基板に電子部品を実装した電子機器において、操作部の構成部品の前面をほぼ同一平面上に形成してケースの前面に表面シートを添着した電子機器を構成した。
また、本発明は、操作部を配置したケースのフランジ部を前面に露出してパネルの装着孔に装着されて、ケースの内部に設けられたプリント基板に電子部品を実装した電子機器において、ケースを着脱可能なフロントケースとリアケースで構成した電子機器を構成した。
また、リアケースの奥行きを、実装容積の異なる機種に対応する大きさに設定した電子機器を構成した。
さらに、本発明は、操作部を配置したケースのフランジ部を前面に露出してパネルの装着孔に装着されて、ケースの内部に設けられたプリント基板に電子部品を実装した電子機器において、フランジ部を覆い該フランジ部とパネルとの接触部の断面形状を変形したＹ字状に形成したフロントカバーを設けた電子機器を構成した。
【００２３】
この結果、内部に配置された操作基板上の表示器や押し釦スイッチは、パネルの前面側から完全に隔離される。このため、従来装置のような密封用のパッキンが不要でフランジ部の付近の構成を簡単にすることができる。また、操作部の操作器が同一平面上に形成されているので、前面から直接操作器等を操作でき、電子機器を小型化できる。
また、パネルの装着孔を統一的に加工することができ、機器をパネル上の任意な位置に移し替えすることができる。さらに、成型用の“型”の製作費を削減でき、製作費を安価にすることもできる。
また、別の実施形態では、ケースのフランジ部に被せるフロントカバーが構成され、就中、その周辺部に外方に張り出す封鎖片が設けられている。この構成により、カバーの背面が装着面の隙間を埋めると共に、封鎖片がその周辺部を封鎖することになる。
【００２４】
よって、本発明によれば、部品数を減らして小型化を図り、ケースの一部を異なる機種にも兼用させてコストが安価で、しかも取扱が便利で完全な防塵・防滴構造の電子機器を提供するすることができる。
【図面の簡単な説明】
【図１】本発明の実施形態１の構成を示す分解斜視図である。
【図２】実施形態１の組立状態の構成を示す説明図である。
【図３】実施形態１のフロントケースの断面図である。
【図４】実施形態１の変形例の分解斜視図である。
【図５】実施形態２で使用するフロントカバーの構成を示す説明図である。
【図６】従来の電子機器の構成を示す断面図である。
【符号の説明】
１  パネル
２  電子機器
３  表面シート
４  粘着テープ
５  ケース
５ａ  フロントケース
５ｂ  リアケース
６  操作基板
７  制御基板
８  端子基板
９  電源基板
１０  電子機器の本体
２０  フロントカバー
２１  表面カバー
２２  側面カバー
２３  突出部
２４  背面カバー
２５  封鎖片
５０  フランジ部
５４  係止溝
５７  係止爪
６０  操作部
６１  表示器
６２  押し釦スイッチ
Ｌ１  奥行き
Ｌ２  奥行き
Ｘ１  内法
θ  張出し角
【図１】
0004182372.tif 000002
【図２】
0004182372.tif 000003
【図３】
0004182372.tif 000004
【図４】
0004182372.tif 000005
【図５】
0004182372.tif 000006
【図６】
0004182372.tif 000007